【手続補正書】
【提出日】平成24年8月10日(2012.8.10)
【手続補正１】
【補正対象書類名】明細書
【補正対象項目名】０１８１
【補正方法】変更
【補正の内容】
【０１８１】
さらに、出願人の発明の他の多くの利点は、上記の明細書および特許請求の範囲から当業者には明らかとなろう。
（１）
ａ）少なくとも１つのコンピュータネットワークの少なくとも１つ複数の登録済みユーザに関連する個人プロファイルデータをサーチ可能に格納するコンピュータ個人プロファイルデータベース手段と、
ｂ）前記少なくとも１つのコンピュータネットワークの少なくとも１つの登録済みユーザに関連する、少なくとも１つの活動タイプの少なくとも１つの提案された複数人活動に関連する活動データをサーチ可能に格納するコンピュータ提案活動データベース手段と
を含み、
ｃ）上記少なくとも１つの提案された複数人活動は、上記少なくとも１つの提案された複数人活動に関連する複数の人の少なくとも１つの最小人数の出席を必要とし、
ｄ）上記少なくとも１つの提案された複数人活動に関連する上記活動データは、
ｉ）少なくとも１つの上記活動タイプと、
ｉｉ）必要な前記複数の人の少なくとも１つのプロファイル記述と、
ｉｉｉ）少なくとも１つの地理的区域と、
ｉｖ）少なくとも１つの時間枠と
を含み、
ｅ）上記少なくとも１つの複数人の提案された活動に参加するための少なくとも１つの上記登録済みユーザからの少なくとも１つの要求を受信するのを助けるコンピュータ活動参加要求インターフェース手段と、
ｆ）上記少なくとも１つの複数人の提案された活動に参加するための上記少なくとも１つの上記登録済みユーザからの上記少なくとも１つの要求を自動的にサーチ可能に格納するコンピュータ参加要求データベース手段と、
ｇ）上記少なくとも１つの提案された複数人活動を管理するコンピュータ活動マネージャプロセッサ手段と、
を含み、
ｈ）前記コンピュータ活動マネージャプロセッサ手段は、
ｉ）上記少なくとも１つの複数人の提案された活動に参加するための、上記少なくとも１つの要求に応答する少なくとも１つの応答を管理するコンピュータ活動参加応答マネージャプロセッサ手段と、
ｉｉ）少なくとも１つのスケジューリングされた活動を形成するために、上記少なくとも１つの複数人の提案された活動への十分な参加を確認するのを助けるコンピュータ活動参加マネージャプロセッサ手段と、
ｉｉｉ）上記少なくとも１つのスケジューリングされた活動に関連する情報を上記少なくとも１つのスケジューリングされた活動に参加するためにスケジューリングされた登録済みユーザに自動的に通信するコンピュータスケジューリング済み活動コミュニケータプロセッサ手段と、
を含む、
ことを特徴とするコンピュータシステム。
（２）
（１）に記載のコンピュータシステムであって、
上記コンピュータ活動参加マネージャプロセッサ手段は、少なくとも１つの上記提案された複数人活動への参加を少なくとも１つのコンピュータネットワークの上記少なくとも１つ複数の登録済みユーザの指定されたユーザに制限するのを助けるコンピュータ活動参加サブネットワークプロセッサ手段を含む、
ことを特徴とするコンピュータシステム。
（３）
（１）に記載のコンピュータシステムであって、
上記コンピュータ活動参加マネージャプロセッサ手段は、少なくとも１つのコンピュータネットワークの上記少なくとも１つ複数の登録済みユーザの個人プロファイルデータに関連する少なくとも１つの上記提案された複数人活動への参加を制限するのを助けるコンピュータ活動参加サブネットワークプロセッサ手段を含む、
ことを特徴とするコンピュータシステム。
（４）
（１）に記載のコンピュータシステムであって、
ａ）少なくとも１つの登録済みユーザサブネットワークを形成するために、前記少なくとも１つのコンピュータネットワークの少なくとも１つの登録済みユーザを前記少なくとも１つのコンピュータネットワークの少なくとも１つの他の登録済みユーザに関連付けるのを助けるコンピュータユーザ関連付けインターフェース手段と、
ｂ）上記少なくとも１つの登録済みユーザサブネットワークの格納を助けるコンピュータユーザサブネットワークデータベース手段と、
をさらに含み、
ｃ）上記コンピュータ活動参加マネージャプロセッサ手段は、少なくとも１つの上記提案された複数人活動への参加を少なくとも１つの指定された少なくとも１つの登録済みユーザサブネットワーク内の人に制限するのを助けるコンピュータ活動参加サブネットワークプロセッサ手段を含む、
ことを特徴とするコンピュータシステム。
（５）
（１）に記載のコンピュータシステムであって、
ａ）上記少なくとも１つの提案された複数人活動ヘの参加が望まれる出席者の人数を設定するコンピュータ出席数設定インターフェース手段、
をさらに含み、
ｂ）前記コンピュータ活動参加マネージャプロセッサ手段は、上記少なくとも１つのスケジューリングされた活動への参加のためにスケジューリングされた登録済みユーザの人数が上記少なくとも１つの提案された複数人活動への参加が望まれる出席者の人数と等しいときに、追加の登録済みユーザが上記少なくとも１つの提案された複数人活動への参加を確認するのを防ぐコンピュータ活動参加クロージングプロセッサ手段を含む、
ことを特徴とするコンピュータシステム。
（６）
（５）に記載のコンピュータシステムであって、
参加状況情報を上記少なくとも１つの提案された複数人活動への参加を確認することを防がれた上記登録済みユーザに自動的に通信するコンピュータ参加状況通信プロセッサ手段をさらに含む、
ことを特徴とするコンピュータシステム。
（７）
（１）に記載のコンピュータシステムであって、
前記コンピュータ活動参加マネージャプロセッサ手段は、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるコンピュータハイパーリンク生成インターフェース手段を含む、
ことを特徴とするコンピュータシステム。
（８）
（１）に記載のコンピュータシステムであって、
ａ）上記少なくとも１つの提案された複数人活動に関連する少なくとも１つの電話送信される信号を受信するのを助けるコンピュータインターフェース手段と、
ｂ）上記少なくとも電話送信される信号を少なくとも１つの登録済みユーザに関連付けるコンピュータ電話送信信号対ユーザプロセッサ手段と、
ｃ）上記少なくとも１つの電話送信される信号を上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として解釈するコンピュータ電話送信信号解釈プロセッサ手段と、
をさらに含むことを特徴とするコンピュータシステム。
（９）
（１）に記載のコンピュータシステムであって、
少なくとも１つの複数人の提案された活動に参加するための少なくとも１つの要求を承認するコンピュータ参加承認プロセッサ手段をさらに含む、
ことを特徴とするコンピュータシステム。
（１０）
（１）に記載のコンピュータシステムであって、
前記コンピュータ活動マネージャプロセッサ手段は、少なくとも１つの複数人の提案された活動に参加するための少なくとも１つの要求を取り消すコンピュータ活動取消プロセッサ手段をさらに含む、
ことを特徴とするコンピュータシステム。
（１１）
（１）に記載のコンピュータシステムであって、
前記コンピュータ活動マネージャプロセッサ手段は、クロージング条件が満足されるときに参加者要求受入を防ぐために少なくとも１つの複数人の提案された活動をクローズするコンピュータ活動クロージングプロセッサ手段をさらに含む、
ことを特徴とするコンピュータシステム。
（１２）
（１）に記載のコンピュータシステムであって、
前記コンピュータ活動マネージャプロセッサ手段は、再オープニング条件が満足されるときに少なくとも１つの複数人の提案された活動での参加要求受入を再オープンするコンピュータ活動再オープニングプロセッサ手段をさらに含む、
ことを特徴とするコンピュータシステム。
（１３）
（１２）に記載のコンピュータシステムであって、
前記コンピュータ活動マネージャプロセッサ手段は、上記少なくとも１つの複数人の提案された活動の上記再オープニングを上記少なくとも１つの複数人の提案された活動に関連する前記複数の人に自動的に通信するためにコンピュータ再オープニングコミュニケータプロセッサ手段をさらに含む、
ことを特徴とするコンピュータシステム。
（１４）
（１３）に記載のコンピュータシステムであって、
上記クロージング条件は、少なくとも１つの時間的条件および／または少なくとも１つの出席条件を含む、
ことを特徴とするコンピュータシステム。
（１５）
（１４）に記載のコンピュータシステムであって、
上記再オープニング条件は、少なくとも１つのスケジューリングされた参加者の取消を含む、
ことを特徴とするコンピュータシステム。
（１６）
ａ）少なくとも１つのコンピュータネットワークの少なくとも１つ複数の登録済みユーザに関連する個人プロファイルデータをサーチ可能に格納するように構造化され、配置された少なくとも１つのコンピュータ個人プロファイルデータベースと、
ｂ）前記少なくとも１つのコンピュータネットワークの少なくとも１つの登録済みユーザに関連する、少なくとも１つの活動タイプの少なくとも１つの提案された複数人活動に関連する活動データをサーチ可能に格納するように構造化され、配置された少なくとも１つのコンピュータ提案活動データベースと、
を含み、
ｃ）上記少なくとも１つの提案された複数人活動は、上記少なくとも１つの提案された複数人活動に関連する複数の人のすべての出席を必要とし、
ｄ）上記少なくとも１つの提案された複数人活動に関連する上記活動データは、
ｉ）少なくとも１つの上記活動タイプと、
ｉｉ）必要な前記複数の人の少なくとも１つのプロファイル記述と、
ｉｉｉ）少なくとも１つの地理的区域と、
ｉｖ）少なくとも１つの時間枠と
を含み、
ｅ）上記少なくとも１つの複数人の提案された活動に参加するための少なくとも１つの上記登録済みユーザからの少なくとも１つの要求の受信を助けるように構造化され、配置された少なくとも１つのコンピュータ活動参加要求インターフェースと、
ｆ）上記少なくとも１つの複数人の提案された活動に参加するための上記少なくとも１つの登録済みユーザからの上記少なくとも１つの要求を自動的にサーチ可能に格納するように構造化され、配置された少なくとも１つのコンピュータ参加要求データベースと、
ｇ）上記少なくとも１つの複数人の提案された活動に参加するための上記少なくとも１つの要求に応答する少なくとも１つの応答を管理するように構造化され、配置された少なくとも１つのコンピュータ活動参加応答マネージャと、
ｈ）少なくとも１つのスケジューリングされた活動を形成するために上記少なくとも１つの複数人の提案された活動への十分な参加を確認するのを助けるように構造化され、配置された少なくとも１つのコンピュータ活動参加マネージャプロセッサと、
ｉ）上記少なくとも１つのスケジューリングされた活動に関連する情報を上記少なくとも１つのスケジューリングされた活動に参加するためにスケジューリングされた登録済みユーザに自動的に通信するように構造化され、配置された少なくとも１つのコンピュータスケジューリングされた活動コミュニケータプロセッサと、
を含むことを特徴とするコンピュータシステム。
（１７）
（１６）に記載のコンピュータシステムであって、
上記少なくとも１つのコンピュータ活動参加マネージャプロセッサは、少なくとも１つの上記提案された複数人活動への参加を少なくとも１つのコンピュータネットワークの少なくとも１つ複数の登録済みユーザの指定されたユーザに制限するのを助けるように構造化され、配置された少なくとも１つのコンピュータ活動参加サブネットワークプロセッサを含む、
ことを特徴とするコンピュータシステム。
（１８）
（１６）に記載のコンピュータシステムであって、
上記少なくとも１つのコンピュータ活動参加マネージャプロセッサは、少なくとも１つのコンピュータネットワークの上記少なくとも１つ複数の登録済みユーザの個人プロファイルデータに関連する少なくとも１つの上記提案された複数人活動への参加を制限するのを助けるように構造化され、配置された少なくとも１つのコンピュータ活動参加サブネットワークプロセッサを含む、
ことを特徴とするコンピュータシステム。
（１９）
（１６）に記載のコンピュータシステムであって、
ａ）前記少なくとも１つのコンピュータネットワークの少なくとも１つの登録済みユーザを前記少なくとも１つのコンピュータネットワークの少なくとも１つの他の登録済みユーザに関連付け、少なくとも１つの登録済みユーザサブネットワークを形成するのを助けるように構造化され、配置された少なくとも１つのコンピュータユーザ関連付けインターフェースと、
ｂ）上記少なくとも１つの登録済みユーザサブネットワークの格納を助けるように構造化され、配置された少なくとも１つのコンピュータユーザサブネットワークデータベースと、
をさらに含み、
ｃ）上記コンピュータ活動参加マネージャプロセッサは、少なくとも１つの上記提案された複数人活動への参加を少なくとも１つの指定された少なくとも１つの登録済みユーザサブネットワーク内の人に制限するのを助けるように構造化され、配置された少なくとも１つのコンピュータ活動参加サブネットワークプロセッサを含む、
ことを特徴とするコンピュータシステム。
（２０）
（１６）に記載のコンピュータシステムであって、
ａ）上記少なくとも１つの提案された複数人活動に参加することが望まれる出席者の人数を設定するように構造化され、配置された少なくとも１つのコンピュータ出席数設定インターフェース
をさらに含み、
ｂ）前記少なくとも１つのコンピュータ活動参加マネージャプロセッサは、上記少なくとも１つのスケジューリングされた活動に参加するためにスケジューリングされた登録済みユーザの人数が上記少なくとも１つの提案された複数人活動に参加することが望まれる出席者の人数と等しいときに、追加の登録済みユーザが上記少なくとも１つの提案された複数人活動に参加することを確認するのを防ぐように構造化され、配置された少なくとも１つのコンピュータ活動参加クロージングプロセッサを含む、
ことを特徴とするコンピュータシステム。
（２１）
（２０）に記載のコンピュータシステムであって、
参加状況情報を上記少なくとも１つの提案された複数人活動への参加の確認を防がれた上記登録済みユーザに自動的に通信するように構造化され、配置された少なくとも１つのコンピュータ参加状況通信プロセッサをさらに含む、
ことを特徴とするコンピュータシステム。
（２２）
（１６）に記載のコンピュータシステムであって、
前記少なくとも１つのコンピュータ活動参加マネージャプロセッサは、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるように構造化され、配置された少なくとも１つのコンピュータハイパーリンク生成インターフェースを含む、
ことを特徴とするコンピュータシステム。
（２３）
（１６）に記載のコンピュータシステムであって、
ａ）上記少なくとも１つの提案された複数人活動に関連する少なくとも１つの電話送信される信号を受信するのを助けるように構造化され、配置された少なくとも１つのコンピュータインターフェースと、
ｂ）上記少なくとも１つの電話送信される信号を少なくとも１つの登録済みユーザに関連付けるように構造化され、配置された少なくとも１つのコンピュータ電話送信信号対ユーザプロセッサと、
ｃ）上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として上記少なくとも１つの電話送信される信号を解釈するように構造化され、配置された少なくとも１つのコンピュータ電話送信信号解釈プロセッサと、
をさらに含むことを特徴とするコンピュータシステム。
（２４）
（１６）に記載のコンピュータシステムであって、
少なくとも１つの複数人の提案された活動に参加するための少なくとも１つの要求を承認するように構造化され、配置された少なくとも１つのコンピュータ参加承認プロセッサをさらに含む、
ことを特徴とするコンピュータシステム。
（２５）
（１６）に記載のコンピュータシステムであって、
前記少なくとも１つのコンピュータ活動マネージャプロセッサは、少なくとも１つの複数人の提案された活動に参加するための少なくとも１つの要求を取り消すように構造化され、配置された少なくとも１つのコンピュータ活動取消プロセッサを含む、
ことを特徴とするコンピュータシステム。
（２６）
（１６）に記載のコンピュータシステムであって、
前記コンピュータ活動マネージャプロセッサは、クロージング条件が満足されるときに参加者要求受入を防ぐために少なくとも１つの複数人の提案された活動をクローズするように構造化され、配置された少なくとも１つのコンピュータ活動クロージングプロセッサをさらに含む、
ことを特徴とするコンピュータシステム。
（２７）
（１６）に記載のコンピュータシステムであって、
前記コンピュータ活動マネージャプロセッサは、再オープニング条件が満足されるときに少なくとも１つの複数人の提案された活動での参加要求受入を再オープンするように構造化され、配置された少なくとも１つのコンピュータ活動再オープニングプロセッサをさらに含む、
ことを特徴とするコンピュータシステム。
（２８）
（２７）に記載のコンピュータシステムであって、
前記コンピュータ活動マネージャプロセッサは、上記少なくとも１つの複数人の提案された活動の上記再オープニングを上記少なくとも１つの複数人の提案された活動に関連する前記複数の人に自動的に通信するように構造化され、配置された少なくとも１つのコンピュータ再オープニングコミュニケータプロセッサをさらに含む、
ことを特徴とするコンピュータシステム。
（２９）
（２８）に記載のコンピュータシステムであって、
上記クロージング条件は、少なくとも１つの時間的条件および／または少なくとも１つの出席条件を含む、
ことを特徴とするコンピュータシステム。
（３０）
（２９）に記載のコンピュータシステムであって、
上記再オープニング条件は、少なくとも１つのスケジューリングされた参加者の取消を含む、
ことを特徴とするコンピュータシステム。
（３１）
ａ）少なくとも１つのソシアルネットワークウェブサイトによって少なくとも１つの他のウェブサイトに、上記少なくとも１つの他のウェブサイトでの表示のために前記少なくとも１つのソシアルネットワークウェブサイトの少なくとも１つのソシアルネットワークウェブサイト特徴の統合を提供するステップと、
ｂ）上記提供の受入時に、上記少なくとも１つの他のウェブサイトでの表示のために前記少なくとも１つのソシアルネットワークウェブサイトの少なくとも１つのソシアルネットワークウェブサイト特徴を統合するステップと、
を含み、
ｃ）前記少なくとも１つの他のウェブサイトのユーザは、前記少なくとも１つの他のウェブサイトにある間に上記少なくとも１つのソシアルネットワークウェブサイト特徴にアクセスすることを許可される、
ことを特徴とする方法。
【手続補正２】
【補正対象書類名】特許請求の範囲
【補正対象項目名】全文
【補正方法】変更
【補正の内容】
【特許請求の範囲】
【請求項１】
ａ）少なくとも１つのコンピュータネットワークの少なくとも１つ複数の登録済みユーザに関連する個人プロファイルデータをサーチ可能に格納するように構造化され、配置された少なくとも１つのコンピュータ個人プロファイルデータベースと、
ｂ）前記少なくとも１つのコンピュータネットワークの少なくとも１つの登録済みユーザに関連する、少なくとも１つの活動タイプの少なくとも１つの提案された複数人活動に関連する活動データをサーチ可能に格納するように構造化され、配置された少なくとも１つのコンピュータ提案活動データベースと、
ｃ）上記少なくとも１つの複数人の提案された活動に参加するための少なくとも１つの上記登録済みユーザからの少なくとも１つの要求の受信を助けるように構造化され、配置された少なくとも１つのコンピュータ活動参加要求インターフェースと、
ｄ）上記少なくとも１つの複数人の提案された活動に参加するための上記少なくとも１つの登録済みユーザからの上記少なくとも１つの要求を自動的にサーチ可能に格納するように構造化され、配置された少なくとも１つのコンピュータ参加要求データベースと、
ｅ）上記少なくとも１つの複数人の提案された活動に参加するための上記少なくとも１つの要求に応答する少なくとも１つの応答を管理するように構造化され、配置された少なくとも１つのコンピュータ活動参加応答マネージャと、
ｆ）少なくとも１つのスケジューリングされた活動を形成するために上記少なくとも１つの複数人の提案された活動への十分な参加を確認するのを助けるように構造化され、配置された少なくとも１つのコンピュータ活動参加マネージャプロセッサと、
ｇ）上記少なくとも１つのスケジューリングされた活動に関連する情報を上記少なくとも１つのスケジューリングされた活動に参加するためにスケジューリングされた登録済みユーザに自動的に通信するように構造化され、配置された少なくとも１つのコンピュータスケジューリングされた活動コミュニケータプロセッサと、
を含み、
ｈ）上記少なくとも１つの提案された複数人活動は、上記少なくとも１つの提案された複数人活動に関連する複数の人のすべての出席を必要とし、
ｉ）上記少なくとも１つの提案された複数人活動に関連する上記活動データは、
ｉ）少なくとも１つの上記活動タイプと、
ｉｉ）必要な前記複数の人の少なくとも１つのプロファイル記述と、
ｉｉｉ）少なくとも１つの地理的区域と、
ｉｖ）少なくとも１つの時間枠と
を含み、
ｊ）上記少なくとも１つのコンピュータ活動参加マネージャプロセッサは、少なくとも１つの上記提案された複数人活動への参加を少なくとも１つのコンピュータネットワークの少なくとも１つ複数の登録済みユーザの指定されたユーザ又は上記少なくとも１つ複数の登録済みユーザの個人プロファイルデータに制限するのを助けるように構造化され、配置された少なくとも１つのコンピュータ活動参加サブネットワークプロセッサを含む、
ことを特徴とするコンピュータシステム。
【請求項２】
請求項１に記載のコンピュータシステムであって、
ａ）前記少なくとも１つのコンピュータネットワークの少なくとも１つの登録済みユーザを前記少なくとも１つのコンピュータネットワークの少なくとも１つの他の登録済みユーザに関連付け、少なくとも１つの登録済みユーザサブネットワークを形成するのを助けるように構造化され、配置された少なくとも１つのコンピュータユーザ関連付けインターフェースと、
ｂ）上記少なくとも１つの登録済みユーザサブネットワークの格納を助けるように構造化され、配置された少なくとも１つのコンピュータユーザサブネットワークデータベースと、
をさらに含み、
ｃ）上記コンピュータ活動参加マネージャプロセッサは、少なくとも１つの上記提案された複数人活動への参加を少なくとも１つの指定された少なくとも１つの登録済みユーザサブネットワーク内の人に制限するのを助けるように構造化され、配置された少なくとも１つのコンピュータ活動参加サブネットワークプロセッサを含む、
ことを特徴とするコンピュータシステム。
【請求項３】
請求項２に記載のコンピュータシステムであって、
ａ）上記少なくとも１つの提案された複数人活動に参加することが望まれる出席者の人数を設定するように構造化され、配置された少なくとも１つのコンピュータ出席数設定インターフェースと、
ｂ）参加状況情報を上記少なくとも１つの提案された複数人活動への参加の確認を防がれた上記登録済みユーザに自動的に通信するように構造化され、配置された少なくとも１つのコンピュータ参加状況通信プロセッサと、
をさらに含み、
ｃ）前記少なくとも１つのコンピュータ活動参加マネージャプロセッサは、上記少なくとも１つのスケジューリングされた活動に参加するためにスケジューリングされた登録済みユーザの人数が上記少なくとも１つの提案された複数人活動に参加することが望まれる出席者の人数と等しいときに、追加の登録済みユーザが上記少なくとも１つの提案された複数人活動に参加することを確認するのを防ぐように構造化され、配置された少なくとも１つのコンピュータ活動参加クロージングプロセッサを含み、
ｄ）前記少なくとも１つのコンピュータ活動参加マネージャプロセッサは、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるように構造化され、配置された少なくとも１つのコンピュータハイパーリンク生成インターフェースを含む、
ことを特徴とするコンピュータシステム。
【請求項４】
請求項３に記載のコンピュータシステムであって、
ａ）上記少なくとも１つの提案された複数人活動に関連する少なくとも１つの電話送信される信号を受信するのを助けるように構造化され、配置された少なくとも１つのコンピュータインターフェースと、
ｂ）上記少なくとも１つの電話送信される信号を少なくとも１つの登録済みユーザに関連付けるように構造化され、配置された少なくとも１つのコンピュータ電話送信信号対ユーザプロセッサと、
ｃ）上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として上記少なくとも１つの電話送信される信号を解釈するように構造化され、配置された少なくとも１つのコンピュータ電話送信信号解釈プロセッサと、
をさらに含むことを特徴とするコンピュータシステム。
【請求項５】
ａ）少なくとも１つのソシアルネットワークウェブサイトによって少なくとも１つの他のウェブサイトに、上記少なくとも１つの他のウェブサイト内に前記少なくとも１つのソシアルネットワークウェブサイトの少なくとも１つのソシアルネットワークウェブサイト特徴の統合を提供するステップと、
ｂ）上記提供の受入時に、上記少なくとも１つの他のウェブサイト内に前記少なくとも１つのソシアルネットワークウェブサイトの少なくとも１つのソシアルネットワークウェブサイト特徴を統合するステップと、
を含み、
ｃ）前記少なくとも１つの他のウェブサイトのユーザは、前記少なくとも１つの他のウェブサイトにある間に上記少なくとも１つのソシアルネットワークウェブサイト特徴を介して他のユーザと相互作用することを許可される、
ことを特徴とする方法。
【請求項６】
請求項５に記載の方法であって、前記少なくとも１つのソシアルネットワークウェブサイト特徴は１以上の電子バナー広告を含む、ことを特徴とする方法。
【請求項７】
請求項６に記載の方法であって、前記１以上の電子バナー広告は前記少なくとも１つの他のウェブサイトでホストされる、ことを特徴とする方法。
【請求項８】
請求項６に記載の方法であって、前記１以上の電子バナー広告は前記少なくとも１つのソシアルネットワークウェブサイトでホストされる、ことを特徴とする方法。
【請求項９】
請求項５に記載の方法であって、前記少なくとも１つのソシアルネットワークウェブサイト特徴はガイドでのリスティングを含む、ことを特徴とする方法。
【請求項１０】
請求項５に記載の方法であって、前記少なくとも１つのソシアルネットワークウェブサイト特徴は、プラグインモジュールを用いて前記少なくとも１つのソシアルネットワークウェブサイトを前記少なくとも１つの他のウェブサイト内に組み込むことを含む、ことを特徴とする方法。
【請求項１１】
請求項５に記載の方法であって、前記少なくとも１つのソシアルネットワークウェブサイト特徴は、ウィジェットを用いて前記少なくとも１つのソシアルネットワークウェブサイトを前記少なくとも１つの他のウェブサイト内に組み込むことを含む、ことを特徴とする方法。
【請求項１２】
請求項５に記載の方法であって、前記少なくとも１つのソシアルネットワークウェブサイト特徴は、フレームを用いて前記少なくとも１つのソシアルネットワークウェブサイトを前記少なくとも１つの他のウェブサイト内に組み込むことを含む、ことを特徴とする方法。
【請求項１３】
請求項５に記載の方法であって、前記少なくとも１つのソシアルネットワークウェブサイト特徴は、前記ソシアルネットワークウェブサイトと前記少なくとも１つの他のウェブサイトとの間での紹介の自動化した追跡を含む、ことを特徴とする方法。
【請求項１４】
請求項５に記載の方法であって、前記少なくとも１つのソシアルネットワークウェブサイト特徴は、前記少なくとも１つのソシアルネットワークウェブサイトにアクセスしようとする紹介を、前記紹介を発した前記少なくとも１つの他のウェブサイトに戻るように自動的にリダイレクトし、前記少なくとも１つのソシアルネットワークウェブサイト特徴にアクセスするようにすること、を含むことを特徴とする方法。
【請求項１５】
請求項５に記載の方法であって、前記少なくとも１つのソシアルネットワークウェブサイト特徴は、前記少なくとも１つの他のウェブサイトからの紹介を、前記少なくとも１つの他のウェブサイトの少なくとも１つのソシアルネットワークに包含することを含む、ことを特徴とする方法。